(57)【要約】【課題】地色補正等の補正処理を効率的に行える画像処理装置を提供する。【解決手段】読取画像データの補正に使用する、原稿の平均的な色情報を取得する手段としての色情報センサ５０を、読取画像データ生成用の手段としてのＣＣＤセンサ１１３ｄとは別個に複数備える。原稿Ｄｃにおいて印字がないと想定される領域に対して光源Ｓから光を出射し、その反射光を色情報センサ５０によって受光することにより、当該領域の平均的な色濃度値を取得する。取得結果に基づいて地色の色濃度値を推定する。地色以外に印字等の像が局所的に多少存在したとしても、その影響は無視できる。読み取り画像データにおいて、該推定値に相当する色濃度値を白の色濃度値に置き換える。すなわち、大規模な演算用の回路を要することなく、原稿の平均的な色情報を取得でき、地色補正を行える。【選択図】図４
2006345137.tif 000002
【特許請求の範囲】
【請求項１】
直線的に配列してなる多数の光電変換素子によって原稿を光電的に線順次に読み取る読取手段と、前記読取手段による読み取り結果に基づいて画像データを生成する生成手段と、を備える画像処理装置であって、
原稿の一部または全部を対象範囲として、前記対象範囲の代表的な色情報を取得する色情報取得手段と、
取得された色情報に基づいて前記画像データを補正する補正手段と、
をさらに備えることを特徴とする画像処理装置。
【請求項２】
請求項１に記載の画像処理装置であって、
前記補正手段が、
前記色情報に基づいて前記原稿の地色の色濃度値と推定される推定色濃度値を算出する推定手段と、
前記画像データに記述されてなる、前記推定色濃度値に相当する色濃度値を、所定の色を表現する色濃度値に置換する置換手段と、
を備えることを特徴とする画像処理装置。
【請求項３】
請求項１に記載の画像処理装置であって、
前記生成手段は、所定の色変換テーブルを参照することによって、所定の表色系で表現される前記画像データを生成し、
前記補正手段は、
前記色情報に基づいて前記原稿の地色の色濃度値と推定される推定色濃度値を算出する推定手段と、
前記色変換テーブルに記述されてなる、前記推定色濃度値に相当する色濃度値を、所定の色を表現する色濃度値に置換する置換手段と、
を備え、置換後の色変換テーブルに基づいて前記画像データを補正する、
ことを特徴とする画像処理装置。
【請求項４】
請求項１ないし請求項３のいずれかに記載の画像処理装置であって、
前記色情報取得手段が、所定の光源から発せられた光の原稿における反射光を受光し、前記反射光の色濃度値を前記色情報として生成するカラーセンサである、
ことを特徴とする画像処理装置。
【請求項５】
請求項４に記載の画像処理装置であって、
前記色情報取得手段が、前記反射光を集光する集光光学系を備える、
ことを特徴とする画像処理装置。
【請求項６】
請求項４または請求項５に記載の画像処理装置であって、
前記所定の光源として、前記読取手段に備わる光源を用いる、
ことを特徴とする画像処理装置。
【請求項７】
請求項１ないし請求項６のいずれかに記載の画像処理装置であって、
前記読取手段が走査機構によって原稿を相対的に走査して読み取りを行うものであり、
前記色情報取得手段は、前記走査機構に付設されてなる、
ことを特徴とする画像処理装置。
【発明の詳細な説明】
【技術分野】
【０００１】
本発明は、原稿を読み取り、読取内容に基づいて画像データを生成する画像処理装置に関する。
【背景技術】
【０００２】
主走査方向に多数（例えば数千個程度）の光電変換素子を備えた読取手段（ラインセンサなど）を有し、該読取手段によって走査しつつ原稿を読み取ることにより、画像データを生成する画像処理装置において、得られた画像データに対して、原稿の用紙の種類や状態に応じた補正を行うことがある。例えば、いわゆる地色補正などがこれにあたる。読取手段によって取得した原稿についての所定の情報を用いて、地色補正を行う技術は既に公知である（例えば、特許文献１参照）。
【０００３】
【特許文献１】特開平４−３２０１６３号公報
【発明の開示】
【発明が解決しようとする課題】
【０００４】
上述のような補正によって必要となる情報は、多くの場合、ある程度広範な領域についての状態を概ね妥当に代表する情報である。平均値や最頻値などがその一例である。例えば、地色補正の場合であれば、地色の平均的な色成分情報が必要である。そのため、地色以外に印字等の像が局所的に多少存在したとしても、処理の過程でその影響を無視できるように、地色の色成分情報を取得できることが必要である。
【０００５】
従来の画像処理装置においては、上述のような補正に用いる原稿の情報の取得についても、読取手段によって行うものとされている。この場合、主走査方向についての出力値の個数は光電変換素子の個数で規定され、副走査方向についての出力値の個数は、走査範囲と読取解像度とから決まる読取ライン数で規定される。そして、両者の積の数だけの出力値から、一の平均的情報が得られることになる。
【０００６】
ところが、上述のように設定される領域は、ラインセンサを構成する個々の光電変換素子の受光範囲に比して十分に大きいので、このような処理を行うためには、非常に多くの出力値を取り扱うことになり、回路規模を大型化せざるを得ない、という問題が生じる。具体的には、平均化処理や遅延処理のためのラインメモリを大容量化することなどが必要となる。
【０００７】
例えば、ラインセンサの読取解像度が６００ｄｐｉであり、副走査方向にわずか２．５４ｍｍ（約０．１インチ）の範囲の幅を持つ領域を対象に地色の情報を得ようとする場合でさえ、読取ライン数は６０ラインとなってしまう。読取解像度が大きいほど、読取領域つまりは副走査範囲を大きくするほど、回路規模は大型化することになるが、必要とされるのは、その規模にかかわらず、あくまで当該領域を代表する一の情報（代表値）に過ぎない。
【０００８】
本発明は、上記課題に鑑みてなされたものであり、地色補正等の補正処理を効率的に行える画像処理装置を提供することを目的とする。
【課題を解決するための手段】
【０００９】
上記課題を解決するため、請求項１の発明は、直線的に配列してなる多数の光電変換素子によって原稿を光電的に線順次に読み取る読取手段と、前記読取手段による読み取り結果に基づいて画像データを生成する生成手段と、を備える画像処理装置であって、原稿の一部または全部を対象範囲として、前記対象範囲の代表的な色情報を取得する色情報取得手段と、取得された色情報に基づいて前記画像データを補正する補正手段と、をさらに備えることを特徴とする。
【００１０】
また、請求項２の発明は、請求項１に記載の画像処理装置であって、前記補正手段が、前記色情報に基づいて前記原稿の地色の色濃度値と推定される推定色濃度値を算出する推定手段と、前記画像データに記述されてなる、前記推定色濃度値に相当する色濃度値を、所定の色を表現する色濃度値に置換する置換手段と、を備えることを特徴とする。
【００１１】
また、請求項３の発明は、請求項１に記載の画像処理装置であって、前記生成手段は、所定の色変換テーブルを参照することによって、所定の表色系で表現される前記画像データを生成し、前記補正手段は、前記色情報に基づいて前記原稿の地色の色濃度値と推定される推定色濃度値を算出する推定手段と、前記色変換テーブルに記述されてなる、前記推定色濃度値に相当する色濃度値を、所定の色を表現する色濃度値に置換する置換手段と、を備え、置換後の色変換テーブルに基づいて前記画像データを補正する、ことを特徴とする。
【００１２】
また、請求項４の発明は、請求項１ないし請求項３のいずれかに記載の画像処理装置であって、前記色情報取得手段が、所定の光源から発せられた光の原稿における反射光を受光し、前記反射光の色濃度値を前記色情報として生成するカラーセンサである、ことを特徴とする。
【００１３】
また、請求項５の発明は、請求項４に記載の画像処理装置であって、前記色情報取得手段が、前記反射光を集光する集光光学系を備える、ことを特徴とする。
【００１４】
また、請求項６の発明は、請求項４または請求項５に記載の画像処理装置であって、前記所定の光源として、前記読取手段に備わる光源を用いる、ことを特徴とする。
【００１５】
また、請求項７の発明は、請求項１ないし請求項６のいずれかに記載の画像処理装置であって、前記読取手段が走査機構によって原稿を相対的に走査して読み取りを行うものであり、前記色情報取得手段は、前記走査機構に付設されてなる、ことを特徴とする。
【発明の効果】
【００１６】
請求項１ないし請求項７の発明によれば、色情報取得手段を読取手段とは別個に備えたことにより、読取手段によって同様の対象領域についての代表的な色情報の取得を行おううとする場合に必要とされる大規模な演算用の回路を要することなく、原稿の平均的な色情報を取得することができ、これに基づいて画像データを補正することができる。
【００１７】
特に、請求項２の発明によれば、地色以外に印字等の像が局所的に多少存在したとしても、特段の演算処理をすることなく、その影響を無視して、地色の色濃度値を妥当に推定することができ、推定色濃度値の色を例えば白色に変換することによって適切な地色補正を行える。
【００１８】
特に、請求項３の発明によれば、地色以外に印字等の像が局所的に多少存在したとしても、特段の演算処理をすることなく、その影響を無視して、地色の色濃度値を妥当に推定することができ、変換テーブルにおける推定色濃度値の色を例えば白色に変換することによって、同じ色変換テーブルを用いる複数の画像データに対して、同じ基準で適切な地色補正を行える。
【００１９】
また、請求項４ないし請求項６の発明によれば、簡易な態様にて原稿の平均的な色情報としての色濃度値を取得することができる。
【００２０】
特に、請求項５の発明によれば、色情報取得手段と原稿との距離を離間させることなく、より広範囲からの反射光が受光可能となる。また、少ない数の色情報取得手段によってより広範囲からの反射光が受光可能となる。
【００２１】
特に、請求項６の発明によれば、読み取り用の光源を共用するので、読取手段による読取実行時と同じ照射条件下で色情報を取得することができる。また、別個に光源を設ける場合よりもコストが抑制される。
【００２２】
また、請求項７の発明によれば、読取実行時の原稿の走査に併せて色情報の取得を行えるので、処理効率が向上する。
【発明を実施するための最良の形態】
【００２３】
＜装置の外観構成＞
図１および図２は、本発明の実施の形態に係る画像処理装置１Ａの概略外観構成を示す図であり、図１がカバー１７を閉じた状態の斜視図に相当し、図２がカバー１７を開いた状態の斜視図に相当する。
【００２４】
画像処理装置１Ａは、例えば、プリンタ機能、スキャナ機能、ファクシミリ機能およびコピー機能を有する複合機である。図１および図２に示すように、画像処理装置１Ａは、筐体ＨＳの上面に設けられたスキャナ１１と、筐体ＨＳに内蔵されたプリンタ１２と、筐体ＨＳにおいて前方へ突出した表示部１３および操作部１４と、筐体ＨＳの下部に設けられた給紙部１５とを備える。さらに、画像処理装置１Ａには、フィニッシング処理を行うフィニッシャ１６が筐体ＨＳの側面に装着され、スキャナ１１へ原稿を給送するＡＤＦ（Automatic Document Feeder）１７２を備えるカバー１７が筐体ＨＳの上面に取り付けられる。また、筐体ＨＳの側面（側面以外でもよい）には、開閉可能なオプションスロットカバー１８が設けられる。画像処理装置１Ａでは、オプションスロットカバー１８を開いた状態において、筐体ＨＳに内蔵された本体ボード上のオプションスロット３０（図３）に筐体ＨＳの外側からアクセス可能である。
【００２５】
画像処理装置１Ａには、ユーザインターフェースとして、操作部１４および表示部１３が設けられる。操作部１４は、メカニカルスイッチで構成され、上述の各種機能に係る処理を実行するための各種指示をオペレータが画像処理装置１Ａに与える際に用いられる。表示部１３は、液晶ディスプレイ等の表示デバイスによって構成され、複写処理その他に関する各種情報を表示する。なお、表示部１３をタッチパネルディスプレイで構成して、表示部１３が操作部１４の一部または全部の機能を兼ね備えるようにしてもよい。
【００２６】
給紙部１５は、前方に引き出し可能な４個の給紙カセット１５１〜１５４を備える。各給紙カセット１５１〜１５４には、所定のサイズ（例えば、Ａ４，Ｂ５等）の記録紙が所定の方向（縦、横）で格納される。
【００２７】
フィニッシャ１６は、画像が形成された記録紙に、ステープル加工やパンチ加工等のフィニッシング処理を施して、排紙トレイ１６１に出力する。図１および図２における矢印ＡＲ１は、画像が形成された記録紙の排出方向を示している。
【００２８】
カバー１７は、ヒンジ１７１を軸として開閉可能となっている。カバー１７にはＡＤＦ１７２が構成されてなる。
【００２９】
ＡＤＦ１７２は、複数枚の原稿を連続的に読み取ることが出来るよう、原稿を自動的に供給する機構である。ＡＤＦ１７２は、原稿がセットされる原稿給紙トレイ１７３を備えており、原稿ガイド１７４ａ，１７４ｂに沿って差込口１７５にセット（差込）された原稿を原稿ガラス１１１ｂへ給送する。なお、原稿ガイド１７４ａは原稿給紙トレイ１７３に固定されているのに対して、原稿ガイド１７４ｂは図１にて矢印ＡＲ２に示すように±Ｙ方向に所定の範囲でスライド可能となっている。すなわち、原稿ガイド１７４ｂは読取対象となる原稿のサイズに応じてその配置を調節可能となっている。また、ＡＤＦ１７２の内部には用紙反転機構１７２Ｒ（図３）が備わっており、原稿の両面について複写を行うよう設定されている場合に、スキャナ１１が片面の読み取りを完了すると、その反対側の面が読み取り対象面とすべく該原稿を反転させることができるようになっている。ＡＤＦ１７２は、公知の技術によって実現可能である。
【００３０】
＜装置の内部構成＞
図３は、画像処理装置１Ａの内部構成を示すブロック図である。画像処理装置１Ａは、ＭＰＵ（マイクロプロセッサ；MicroProcessor Unit）２０、ＲＯＭ２１およびＲＡＭ２２を備えるマイクロコンピュータを内蔵している。ＭＰＵ２０は、ＲＯＭ２１に格納されたプログラムを読み出して実行することにより、画像処理装置１Ａの各構成を統括制御する。ＲＡＭ２２は、ＭＰＵ２０による統括制御に必要なデータを一時記憶する。ＭＰＵ２０による統括制御により、画像処理装置１Ａの各種機能が実現される。後述する画像処理部６１、地色推定部６２、地色置換部６３などの各部も、係るプログラムの実行により、ＭＰＵ２０において実現される。ＭＰＵ２０は、操作部１４に対する操作を検出して画像処理装置１Ａの動作へ反映させるとともに、表示部１３における表示内容の制御を行う。
【００３１】
スキャナ１１は、ＦＢＳ(Flat Bed Scanner)方式およびＡＤＦ方式による原稿上の画像の読み取り処理を担う。読み取り処理は、読取機構１１３（図１、図２では図示せず）の作用によって実現される。ＦＢＳ方式の場合は、あらかじめ読み取りたい面を下方（−ｚ方向）に向けた状態で原稿ガラス１１１ａ上に載置された原稿を読み取る。ＡＤＦ方式の場合は、ＡＤＦ１７２にて供給された原稿を読み取る。読取機構１１３の構成、および読み取り処理の詳細は後述する。
【００３２】
読み取り処理によって、原稿上の画像に係る画像データが生成される。当該画像データは、画像メモリ２３に記憶され、コピー機能が実行される際には複写元画像データとして利用される。ファクシミリ機能が実行される場合には、当該画像データはファクシミリ送信における送信画像データとしても利用される。
【００３３】
プリンタ１２は、例えば、ＬＥＤプリンタヘッドを有する公知の電子写真方式のプリンタである。画像処理装置１Ａにおいてプリンタ機能が実行される場合、つまりは、装置外部のコンピュータなどに画像処理装置１Ａが接続され、該コンピュータから受け取った画像データに基づいて印刷を行う場合は、該画像データの記述内容に従って、記録紙上に画像を形成する。また、コピー機能が実行される場合には、複写元画像データの記述内容に従って、記録紙上に複写画像を形成する。なお、プリンタ１２は、用紙反転機構１２Ｒ（図１、図２では図示せず）を備えており、記録紙両面への記録を行うように設定されている場合（つまりは両面印刷の場合）、一方の面への画像記録を終えた後、用紙反転機構１２Ｒによって記録紙を反転させて、もう一方の面への画像記録を行うよう構成されている。係るプリンタ１２は、公知の技術によって実現可能である。複写画像データは、複写元画像データを、画像形成に適した所定の色座標系（通常は、ＣＭＹＫ座標系）による記述形式に変換することで得られるデータである。画像処理装置１Ａにおいては、係る変換はＭＰＵ２０の作用によって実現される。
【００３４】
また、画像処理装置１Ａにおいては、ファクシミリ機能を実現するため、ＮＣＵ（網制御装置；Network Control Unit）２４、ＭＯＤＥＭ（モデム；MOdulator DEModulator）２５、ＣＯＤＥＣ（符号化・復号器；COderand DECoder）２６をさらに備える。
【００３５】
ＮＣＵ２４は、一般公衆電話回線網（ＰＳＴＮ；Public Switched Telephone Networks）への接続を制御する。ＮＣＵ２４は、通信先の電話番号（ＦＡＸ番号を含む）に対応したダイヤル信号を送出する機能および着信を検出する機能を備える。
【００３６】
ＭＯＤＥＭ２５は、ＩＴＵ（国際電気通信連合）−Ｔ勧告Ｔ．３０に従ったファクシミリ伝送制御手順に基づいて、Ｖ．１７，Ｖ．２７ｔｅｒ，Ｖ．２９等に従った送信データの変調および受信データの復調を行う。あるいは、ＭＯＤＥＭ２５は、これらに加えて、Ｖ．３４に従った送信データの変調および受信データの復調を行う。ＭＯＤＥＭ２５によって変調された送信データは、ＮＣＵ２４を経由してＰＳＴＮへ送出される。また、ＭＯＤＥＭ２５が復調を行う受信データは、ＮＣＵ２４を経由してＰＳＴＮから与えられる。
【００３７】
ＣＯＤＥＣ２６は、画像メモリ２３に記憶された送信画像データをＭＨ，ＭＲおよびＭＭＲ方式等により符号化（エンコード）するとともに、ＭＯＤＥＭ２５によって復調された受信データを復号（デコード）する。復号により得られた受信画像データは画像メモリ２３に記憶される。
【００３８】
オプションスロット３０は、オプションボード４０を着脱可能に構成される。オプションスロット３０に装着されたオプションボード４０は、ＭＰＵ２０と通信可能であり、ＭＰＵ２０によって制御される。
【００３９】
＜読取機構の構成と読み取り処理＞
図４は、読取機構１１３を含むスキャナ１１の構成を概略的に示す、図１および図２におけるＺＸ平面に平行な面における断面模式図である。なお、図４においては、ＦＢＳ方式の読み取りを行う場合を想定して図示を行っているが、読み取りの際に通常は閉じられるカバー１７の図示は省略している。
【００４０】
読取機構１１３は、主として、光源Ｓと第１ミラーＭ１とを備える第１キャリッジ１１３ａと、第２ミラーＭ２と第３ミラーＭ３とを備える第２キャリッジ１１３ｂと、結像レンズ１１３ｃと、ＣＣＤセンサ１１３ｄとから構成される。第１キャリッジ１１３ａおよび第２キャリッジ１１３ｂはともに、原稿ガラス１１１ａの下方に、図示しない駆動機構によって±Ｘ軸方向に移動可能に設けられてなる。
【００４１】
図５は、第１キャリッジ１１３ａのＸＹ断面図である。図５に示すように、第１キャリッジ１１３ａにおいて、光源Ｓは、Ｙ軸方向に長手方向を有するように設けられてなる。当該長手方向のサイズは、原稿ガラス１１１ａのＹ軸方向のサイズと略一致させてなる。なお、第１キャリッジ１１３ａには、後述する色情報の取得処理に係る複数個（図５においては３個）の色情報センサ５０が、Ｙ軸方向に沿って所定の間隔をもって設けられてなる。
【００４２】
ＣＣＤセンサ１１３ｄは、主走査方向つまりはＹ軸方向に沿って多数のカラーＣＣＤ（Charge Coupled Device）が配列されてなるイメージセンサである。
【００４３】
原稿ガラス１１１ａ上に原稿Ｄｃが載置され、第１キャリッジ１１３ａが所定の位置にある状態で、光源Ｓから光（読取用光）が発せられると、読取用光は原稿ガラス１１１ａを透過して原稿Ｄｃに照射される（このときの原稿Ｄｃにおける読取用光の照射位置を「読取位置」と称する）。原稿Ｄｃの原稿ガラス１１１ａに当接してなる側の読取面からの反射光は、光路Ｐ１として示すように、第１ミラーＭ１、第２ミラーＭ２、および第３ミラーＭ３において順次反射された後、所定の位置に設けられてなる結像レンズ１１３ｃを経てＣＣＤセンサ１１３ｄに導かれる。ＣＣＤセンサ１１３ｄにおいては、この導かれた光により、照射位置における主走査方向に沿った像（１ライン分の像）が結像される。ＣＣＤセンサ１１３ｄのそれぞれのカラーＣＣＤにおいては、光電変換によって、入射光量に応じた色濃度値（例えばＲＧＢ座標系にて表される）に相当する信号（色濃度値信号）が出力される。
【００４４】
原稿Ｄｃ全体についての読み取り処理は、第１キャリッジ１１３ａを副走査方向であるＸ軸方向に移動させつつ、原稿Ｄｃの副走査方向のサイズの範囲について、係る結像を所定のピッチ（副走査方向の読取解像度に対応）で連続的に行うことにより実現される。その際には、原稿Ｄｃの読取位置からＣＣＤセンサ１１３ｄに至るまでの反射光の光路長を一定に保つため、第１キャリッジ１１３ａの移動距離と、第２キャリッジ１１３ｂの移動距離の比は一定に保たれる。係る読み取り処理によって、原稿Ｄｃ全体についての色濃度値信号の２次元マッピング状態を表現するデータである、読取画像データが得られることになる。
【００４５】
なお、図４においては図示していないが、第１キャリッジ１１３ａは、ＡＤＦ読み取り用の原稿ガラス１１１ｂの下方にまで移動可能であるように設けられてなる。ＡＤＦ方式による読み取りの場合は、係る位置に固定された状態で、光源Ｓから読取用光が照射され、読み取り処理が実行されることになる。この場合、原稿ガラス１１１ｂ上を所定のスピードで通過する原稿Ｄｃを対象に、所定の時間間隔で、つまりは読取解像度に対応する所定のピッチで上述の結像処理が連続的になされることにより、読取画像データが生成される。
【００４６】
図６は、後述する地色補正処理を含む、読取画像データのその後の処理について説明するための図である。Ａ／Ｄ変換処理部１１４は、ＣＣＤセンサ１１３ｄから出力された、アナログ信号である色濃度値信号をデジタル化するＡ／Ｄコンバータである。係る処理に際しては、波形整形やゲイン調整が適宜に施される。画像処理部６１は、デジタル化された読取画像データを画像メモリ２３に記憶する。詳細に言えば、ＣＣＤセンサ１１３ｄから出力された１ラインずつの信号に対してこのような処理が順次になされ画像メモリ２３へと記憶されるのであり、読取画像データは、それらの総体的なデータということになる。
【００４７】
その際には、必要に応じて色変換ＬＵＴ６４を参照した色変換を行う。色変換ＬＵＴ６４は、ＲＯＭ２１やＲＡＭ２２などにあらかじめ記憶されている。例えば、読取画像データがＲＧＢ表色系で表されるデータである場合に、記録紙への画像形成に適した色表現であるＣＭＹＫ表色系で表されるデータへの変換を行った上で、これを画像メモリ２３に記憶する。また、モノクロ印刷やファクシミリ送信の場合などは、Ｋ成分のみのグレースケールデータや２値化データへの変換なども行う。複写処理の場合、読取画像データが複写元画像データに相当し、画像メモリ２３に記憶された色変換後のデータが、複写画像データとして画像形成に用いられることになる。
【００４８】
＜色情報センサ＞
次に、色情報センサ５０による色情報の取得について説明する。上述したように、読取機構１１３の第１キャリッジ１１３ａには、複数個の色情報センサ５０がＹ軸方向に沿って離間的に設けられてなる。色情報センサ５０は、図４において光路Ｐ２として示すように、光源Ｓから出射された光の原稿Ｄｃにおける反射光を受光して、原稿Ｄｃにおける所定の色情報を取得するために備わる。本実施の形態に係る画像処理装置１Ａは、この色情報センサ５０によって取得した色情報を用いて上述した読取画像データに対し所定の補正処理を施せるように、構成されてなる。
【００４９】
図７（ａ）は、色情報センサ５０がＲＧＢカラーセンサである場合を例に、その構造を概略的に示す平面図である。図７（ｂ）はその側断面図である。この場合において、色情報センサ５０は、フォトセル５１Ｒ、５１Ｇ、および５１Ｂを備える。フォトセル５１Ｒは、Ｒ色成分のみを透過させるＲフィルタ５２ＲによってＲ色成分のみに感応する光起電力素子である。同様に、フォトセル５１Ｇおよびフォトセル５１Ｂは、それぞれＧフィルタ５２ＧおよびＢフィルタ５２ＢによってＧ色成分およびＢ成分のみに感応する光起電力素子である。
【００５０】
これらのフォトセル５１Ｒ、５１Ｇ、および５１Ｂの原稿Ｄｃにおける受光対象領域のサイズは、ＣＣＤセンサ１１３ｄを構成する個々のＣＣＤカラーセンサの分解能に対応する読み取り画素のサイズ（数十μｍ程度）に比して十分に大きく、例えば、数十ｍｍの幅の範囲を対象としうる。すなわち、ＣＣＤセンサ１１３ｄによる数十ライン分の読み取りに相当する色情報の取得を、一度に行うことができる。よって、フォトセル５１Ｒ、５１Ｇ、および５１Ｂがら出力されるのは、ＲＧＢ表色系にて表されたその受光対象領域についての平均的な色情報ということになる。
【００５１】
よって、読み取り処理の際に第１キャリッジ１１３ａが副走査方向を移動するのに合わせて、色情報センサ５０が連続的にあるいは断続的に所定の位置についての色情報を取得することにより、原稿Ｄｃの随所について、その範囲を代表する色情報を得ることができるようになっている。取得の態様によっては、原稿Ｄｃの全体をその対象とすることも可能である。あるいは、読み取り処理とは独立に、色情報の取得がなされてもよい。後者の場合、第２キャリッジ１１３ｂは静止させたまま、第１キャリッジ１１３ａのみを単独に移動させるようにされていてもよい。またこの場合、読み取り処理のように微細なピッチで情報を得るわけではないので、読み取り処理と同時の行う場合に比して、高速に第１キャリッジ１１３ａを移動させることもできる。
【００５２】
なお、色情報センサ５０の上部に、適宜にレンズ群を設ける態様であってもよい。図８は、その一態様について例示する図である。図８（ａ）はＹ軸に平行な側面図であり、図８（ｂ）は、Ｙ軸に直交する側面図である。これらのレンズ群により、凹レンズおよび凸レンズを組み合わせたレンズ５３によってＹ軸に平行な方向について広範囲の光を集光させ、シリンドリカルレンズ５４によってこれに直交するＺＸ面内方向の光をより集光させる集光光学系が構成されてなる。このようにすることで、色情報センサ５０と原稿Ｄｃとの距離を離間させることなく、Ｘ方向には一定の範囲からの光、Ｙ方向にはより広範囲からの光が受光可能となる。また、少ない数の色情報センサ５０によって、読み取りライン（読み取り位置を）含む、より広範囲からの光が受光可能となる。なお、それぞれのレンズによる集光度合は、適宜に定められる。また、いずれか一方のレンズのみが用いられる態様であってもよい。あるいは、同様の効果を発揮する光学系を構成するのであれば、異なる種類のレンズが用いられてもよい。
【００５３】
＜色情報に基づく補正＞
次に、色情報センサ５０によって取得された色情報に基づいて、読み取り処理において得られてなる読取画像データを補正する処理について説明する。本実施の形態においては、色情報センサ５０がカラーセンサであり、得られる色情報に基づき地色処理を施す場合を例に説明する。
【００５４】
図６には、係る地色補正に係る各部についても併せて示している。地色推定部６２は、色情報センサ５０によって取得された、原稿ＤｃについてのＲＧＢ各色成分ごとの色情報に基づいて、原稿Ｄｃの地色と推定される色濃度値を算出する処理を担う。
【００５５】
例えば、原稿Ｄｃにおいて印字がないと想定される複数の領域（例えば原稿先端部など）を受光対象領域として、あらかじめ各色情報センサ５０によって複数箇所についての色濃度値を取得しておく。地色推定部６２は、所定の算出式に基づいて、取得された複数の色濃度値を適正に代表すると考えられる一のＲＧＢ色濃度値を算出する。例えば、平均値や最頻値はその算出値の一例である。このようにして得られたＲＧＢ色濃度値によって表現される色は、原稿Ｄｃの地色とほぼ一致すると考えられるので、このＲＧＢ色濃度値を地色の色成分の推定値として取り扱うことができる。なお、ＣＣＤセンサ１１３ｄを用いてこのような平均的な色情報を得ようとする場合には、大規模な演算用の回路が必要となるが、本実施の形態においては、係る大規模は回路を要しない。
【００５６】
地色置換部６３は、このように得られた地色の推定値を用いて、読み取り処理によって得られた読取画像データの色成分を置換する。例えば、画像メモリ２３に記憶されている読取画像データを対象に、地色推定値と同じあるいは所定範囲内に近似している色濃度値を有する画素が連続する場合に、その画素の色濃度値を、白色の色濃度値（ＲＧＢ表色系であれば各成分の色濃度値が全て２５５）に置換する。これにより、複写処理の場合であれば、原稿Ｄｃの地色が白色でない場合であっても、地色が白色の複写物を得ることができる。また、スキャナ機能を実行した場合やファクシミリ送信の場合であれば、地色についてのカラー情報を破棄することになるので、データの記憶容量や送信容量が低減されることになる。
【００５７】
あるいは、地色の推定値をＣＭＹＫ表色系の値に変換した後、画像メモリ２３に記憶されているＣＭＹＫ表色系にて表されてなる画像データを対象にして、同様の置換処理を行ってもよい。この場合は、地色に相当する画素について、ＣＭＹＫ全ての色濃度値が０％へと置換されることになる。
【００５８】
以上、説明したように、本実施の形態に係る画像処理装置１Ａにおいては、読取画像データの補正に使用する、原稿の平均的な色情報を取得する手段としての色情報センサを、読取画像データ生成用の手段としてのＣＣＤセンサとは別個に備えたことにより、ＣＣＤセンサが該色情報の取得を兼ねる態様の場合に必要とされる大規模な演算用の回路を要することなく、原稿の平均的な色情報を取得することができる。地色補正を行う場合であれば、地色以外に印字等の像が局所的に多少存在したとしても、特段の演算処理をすることなく、その影響を無視して、地色の色濃度値を妥当に推定することができる。
【００５９】
＜変形例＞
上述の実施の形態においては、読み取り画像データの色濃度値を推定される地色の色濃度値によって置換することで、地色補正を行う態様について示しているが、図９は、これに変わる処理を示す図である。
【００６０】
具体的には、地色置換部６３が、地色の推定値に対応する色濃度値が全て白色に置換されるように、色変換ＬＵＴ６４の記述内容を書き換え、画像処理部６１は、その書き換え後の色変換ＬＵＴ６４を参照することによって画像メモリ２３へと画像データを記憶させるようにする。例えば、原稿Ｄｃを読み取る場合であって、それらの地色が先端から後端まで同一であるとして、このように色変換ＬＵＴ６４を書き換えておくことで、先端部を処理して得られた地色に基づいて色変換ＬＵＴ６４を書き換えておきさえすれば、後端まで色情報を逐一取得する必要が無くなるとともに、常に一定の色成分が地色として処理される。よって、同じ色変換ＬＵＴを用いて補正される複数の画像データに対して、同じ基準で適切な地色補正を行えることになり、補正処理の質が一定に保たれる、というメリットがある。
【図面の簡単な説明】
【００６１】
【図１】画像処理装置１Ａの概略外観構成（カバー１７を閉じた状態）を示す図である。
【図２】画像処理装置１Ａの概略外観構成（カバー１７を開いた状態）を示す図である。
【図３】画像処理装置１Ａの内部構成を示すブロック図である。
【図４】読取機構１１３を含むスキャナ１１の構成を概略的に示す断面模式図である。
【図５】第１キャリッジ１１３ａのＸＹ断面図である。
【図６】地色補正処理を含む、読取画像データの処理について説明するための図である。
【図７】色情報センサ５０がＲＧＢカラーセンサである場合の概略構造図である。
【図８】色情報センサ５０の上部にレンズ群を設けた場合を例示する図である。
【図９】地色補正処理を含む、読取画像データの処理の変形例を説明するための図である。
【符号の説明】
【００６２】
１Ａ  画像処理装置
５１Ｂ、５１Ｒ、５１Ｇ  フォトセル
５２Ｂ  Ｂフィルタ
５２Ｇ  Ｇフィルタ
５２Ｒ  Ｒフィルタ
５３  凹レンズおよび凸レンズを組み合わせたレンズ
５４  シリンドリカルレンズ
１１１ａ，１１１ｂ  原稿ガラス
１１３ａ  第１キャリッジ
１１３ｂ  第２キャリッジ
１１３ｃ  結像レンズ
１１３ｄ  ＣＣＤセンサ
Ｄｃ  原稿
Ｍ１  第１ミラー
Ｍ２  第２ミラー
Ｍ３  第３ミラー
Ｐ１  （読み取り処理の反射光の）光路
Ｐ２  （色情報取得の際の）光路
Ｓ  光源
【図１】
2006345137.tif 000003
【図２】
2006345137.tif 000004
【図３】
2006345137.tif 000005
【図４】
2006345137.tif 000006
【図５】
2006345137.tif 000007
【図６】
2006345137.tif 000008
【図７】
2006345137.tif 000009
【図８】
2006345137.tif 000010
【図９】
2006345137.tif 000011